(57)【要約】本発明は、たとえば、医薬産業、化学産業および食品産業で使用するための、タブレットまたは液体を保持できる容器、特に容器のための小児安全錠止装置に関する。本発明の目的は、容器が特に高齢者や障害者に開けやすく、容器が小児安全式であり、余計な水蒸気の侵入を防ぐようにシールすることができることを確実にすることにある。この容器は、固体または液体の内容物を保持する中空本体と、容器を閉じる蓋とを含む。錠止リングが本体と蓋の間に設けてあり、この錠止リングは本体と蓋の間で回転させることができる。１つのインジケータ矢印が本体に設けてあり、１つのインジケータ矢印が蓋に設けてある。錠止リングにもインジケータ矢印が設けてあり、錠止リングを回転させることによってインジケータ矢印同士を整合させたときにのみ、蓋の突出縁を持ち上げるかまたは反転させることによって蓋を開くことができる。
2006505461.tif 000002
【特許請求の範囲】
【請求項１】
中空本体と、閉じた状態および開いた状態の間で移動できる蓋と、閉じた状態に蓋を固定する錠止部分であって、錠止位置と解錠位置との間で移動可能な錠止部分と、蓋が解錠状態、錠止状態それぞれの状態の間で移動させられるときに錠止部分を解錠位置から錠止位置へ移動させるアクチュエータ手段とを含む容器。
【請求項２】
蓋が開いた状態に移動させられたときに、アクチュエータ手段が錠止部分を錠止位置に移動させるような配置とした、請求項１に記載の容器。
【請求項３】
蓋が閉じた状態に移動させられたときに、アクチュエータ手段が錠止部分を錠止位置に移動させるような配置とする、請求項１または請求項２に記載の容器。
【請求項４】
蓋および錠止部分が、それぞれ、協働する錠止要素を含み、使用時に、蓋が本体から外されて容器が開いたとき、アクチュエータ手段が錠止要素の一方を他方の錠止要素に対して移動させるような配置とした、請求項２に記載の容器。
【請求項５】
蓋および錠止部分に設けた協働する錠止要素の配置が、蓋が戻されて本体に押し付けられ、容器が閉じたとき、アクチュエータ手段が錠止要素の一方を他方の錠止要素に対して移動させるようになっている、請求項３に記載の容器。
【請求項６】
協働する錠止要素が本体および錠止部分に設けてあり、蓋が本体から外されて容器が開いたとき、作動手段が錠止要素の一方を他方の錠止要素に対して移動させるような配置となっており、本体および錠止部分に設けた協働する錠止要素の配置が、蓋が戻されて本体に押し付けられ、容器が閉じたとき、作動手段が錠止要素の一方を他方の錠止要素に対して移動させるようになっている、請求項４に記載の容器。
【請求項７】
錠止部分が錠止リングである、請求項１〜６のいずれかに記載の容器。
【請求項８】
アクチュエータ手段が蓋の内側に配置した細長い部材を含み、錠止リングが傾斜路を含み、この傾斜路が、細長い部材が傾斜路と接触し、傾斜路の表面に沿って徐々に摺動するときに、錠止リングの回転が生じ、本体および／または蓋および錠止部分上にあるインジケータが整合しなくなるように傾斜している、請求項２〜７のいずれかに記載の容器。
【請求項９】
細長い部材および傾斜路の配置が、蓋が本体から外されて容器が開いたときに、細長い部材が傾斜路の第１の表面と接触し、錠止リングの回転が生じ、本体および／または蓋および錠止部分上にあるインジケータが整合しなくなるようにした、請求項８に記載の容器。
【請求項１０】
細長い部材および傾斜路の配置が、蓋を本体上へ戻して容器を閉じたとき、そして、インジケータを整合させたとき、細長い部材が傾斜路の第２の表面と接触し、錠止リングの回転が生じ、本体および／または蓋および錠止部分上にあるインジケータが整合しなくなるようにしてある、請求項８または請求項９に記載の容器。
【請求項１１】
傾斜路が錠止リングの半径方向内側面から突出している、請求項８〜１０のいずれか１項に記載の容器。
【請求項１２】
傾斜路に錠止リングの壁に形成した溝があり、溝の中心軸線がリングの軸線から或る角度のところにある、請求項８〜１１のいずれか１項に記載の容器。
【請求項１３】
細長い部材が可撓性片持ばりである、請求項８〜１２のいずれか１項に記載の容器。
【請求項１４】
細長い部材が蓋の内面から延びるフック状の片持ばりである、請求項８〜１３のいずれか１項に記載の容器。
【請求項１５】
錠止部分が本体と蓋の間に位置している、請求項１〜１４のいずれか１項に記載の容器。
【請求項１６】
蓋に設けた協働錠止要素が突起である、請求項１５に記載の容器。
【請求項１７】
錠止部分に設けた協働錠止要素が錠止部分の内面に設けた周囲フランジであり、そして、突起が細長い部材上に形成してあり、フランジには、蓋の開閉時に突起が通過できるくぼみ部分が形成してある、請求項４に記載の容器。
【請求項１８】
傾斜路が周囲フランジ下方に軸線方向に配置してあり、フランジのくぼみ部分とほぼ列をなして並んでおり、傾斜路の最上方部分と周囲フランジとの間にギャップがあるような配置とした、請求項１７に記載の容器。
【請求項１９】
錠止部分に設けた協働錠止要素が錠止部分の内面に取り付けた円周トラックであり、突起に末端ヘッド部分が形成してあり、突起が蓋の内面から延びており、トラックにはアクセスホールが形成してあり、蓋の開閉時に突起のヘッド部分がこのアクセスホールを通過できる、請求項４に記載の容器。
【請求項２０】
傾斜路が、好ましくは、円周トラック上方で軸線方向に配置してある、請求項１９に記載の容器。
【請求項２１】
傾斜路およびフランジの配置が、錠止部分の一方向への回転に応じて、まず、突起がギャップを通過し、くぼみとほぼ整合してから細長い部材が傾斜路と接触するようになっている、請求項１９に記載の容器。
【請求項２２】
本体が出口を有し、この出口が蓋に設けたシーリング要素によってシールすることができる、請求項１〜２１のいずれか１項に記載の容器。
【請求項２３】
突起がさかとげのある末端部を形成した部材を含む、請求項１９〜２２のいずれか１項に記載の容器。
【請求項２４】
本発明の第１態様による容器に蓋を錠止する方法であって、蓋を解錠状態、錠止状態それぞれの状態の間で移動させたときに錠止部分を解錠位置から錠止位置まで移動させることを含む方法。
【請求項２５】
蓋を開いた状態に移動させたときに、アクチュエータ手段が錠止部分を錠止位置に移動させる、請求項２４に記載の方法。
【請求項２６】
蓋が閉じた状態に移動させたときに、アクチュエータ手段が錠止部分を錠止位置に移動させる、請求項２４または請求項２５に記載の方法。
【請求項２７】
蓋を解錠状態、錠止状態それぞれの状態の間で移動させたときに錠止部分を解錠位置から錠止位置まで自動的に移動させることを含む、請求項２４〜２６のいずれか１項に記載の方法。
【請求項２８】
請求項１〜２７のいずれか１項に記載の容器のための蓋。
【請求項２９】
請求項１〜２３のいずれか１項に記載の容器のための錠止部分。
【請求項３０】
請求項１〜２３のいずれか１項に記載の容器のための中空本体。
【請求項３１】
請求項１〜２３のいずれか１項に記載の容器のための蓋。
【請求項３２】
請求項１〜２３のいずれか１項に記載の容器のためのアクチュエータ手段。
【請求項３３】
第２の格納容積部を含む、請求項１〜２３のいずれか１項に記載の容器。
【請求項３４】
第３の格納容積部を含む、請求項３３に記載の容器。
【請求項３５】
さらに別の格納容積部のうちの少なくとも１つが本体の上方容積部に配置してある、請求項３２または３４に記載の容器。
【請求項３６】
さらに別の格納容積部のうちの少なくとも１つが蓋によってシールされる、請求項３５に記載の容器。
【請求項３７】
実質的に添付図に揚げられ本明細書で説明した蓋。
【発明の詳細な説明】
【技術分野】
【０００１】
本発明は、たとえば、医薬産業、化学産業および食品産業で使用するためにタブレットまたは液体を保持することのできる容器、特に、容器および／または容器の二次的格納領域のための錠止配置（arrangement）に関する。
【背景技術】
【０００２】
小児安全機能を有する容器は、現在一般的に入手可能であるが、これらの容器は、普通、高齢者または障害者が開けるのは非常に困難である。以下、米国特許第５９０８１２５号および同じ技術分野の他の特許に言及する。一般に、小児安全容器では、使用者が蓋を握りしめると同時に回転させるか、または、蓋を押しながら回転させて容器本体から蓋を外さなければならない。しかしながら、高齢者または器用さに問題をもつ人には、蓋を握りしめながらまたは押しながら蓋を回転させるのに必要な力が大きすぎたり、蓋を開けようとすると痛みを感じたりするということが見受けられる。関節リウマチおよび変形性関節症に罹患している人々にとっては、握る動作や手首をひねったり曲げたりする動作を伴ういかなる動きも避けたいところである。
【発明の開示】
【発明が解決しようとする課題】
【０００３】
公知の小児安全容器はキャップ錠止配置を含み、使用者は、キャップを回転させて、容器、キャップそれぞれの外面にある２つのぽっちを合わせなければならない。この位置で、キャップを押し開くことができる。しかしながら、本発明者等は、使用者が、キャップを容器上に戻した後、２つのぽっちが一致しなくなるようにキャップを再び回転させることを覚えていなければならず、さもないと、容器が容易に開けられてしまい、もはや小児安全とは言えなくなるということを見いだした。さらにまた、本発明者等は、このタイプの容器を開けるときに、キャップが容器の内容物を見るのを部分的に妨げることを見いだした。さらにまた、或る種のタブレット医薬品の場合、患者は、半分のタブレット投与分だけを取り出さなければならないことがある。現行の容器には、ひとたびタブレットを容器から取り出したならば、それを別のところに保管しなければならないか、他のタブレットと共に容器の中へ戻さなければならないというさらなる欠点がある。この配置では、分割したタブレットは後で見つけるのが難しいことがある。
【課題を解決するための手段】
【０００４】
本発明の第１の態様によれば、中空本体と、閉じた状態と開いた状態とに移動できる蓋と、閉じた状態で蓋を固定する錠止部分とを含み、錠止部分が、錠止位置と解錠位置とに移動可能であり、また、蓋を解錠位置、錠止位置間で動かすときに錠止部分を解錠位置から錠止位置まで移動させるアクチュエータ手段を含む容器を提供する。
【０００５】
好ましくは、蓋を開いた状態に移動させ、錠止部分が解錠位置にあるとき、アクチュエータ手段が錠止部分を錠止位置に移動させるような配置とする。
【０００６】
アクチュエータ手段は、蓋が開けられるかおよび／または閉じられた後には錠止部分が確実に錠止位置にあるようにするのに役立つ。
【０００７】
好ましくは、アクチュエータ手段は、蓋を開けつつあるかおよび／または閉じつつあるときに錠止部分を自動的に移動させる。したがって、開け動作および閉め動作の最中に必要に応じて小児安全機能が自動的に設定される。
【０００８】
本発明は、容器を自動的に錠止状態にする錠止装置を設けることによって、我々が従来技術容器について見いだした欠点を克服することを意図している。
【０００９】
好ましくは、蓋および錠止部分はそれぞれ協働する錠止要素を含み、蓋が容器本体から外されて容器が開いたとき、アクチュエータ手段が錠止要素の一方を他方の錠止要素に対して移動させるような配置とする。
【００１０】
好ましくは、蓋および錠止部分に設けた協働錠止要素の配置は、蓋を本体に戻し、押して容器を閉じたとき、アクチュエータ手段が錠止要素の一方を他方の錠止要素に対して移動させるようになっている。
【００１１】
好ましくは、錠止部分は、中空本体および／または蓋上にあるインジケータと一致させなければならないインジケータを備えており、使用時にこれらのインジケータがアクチュエータ手段によって整合位置から不整合位置まで動かされるような配置とする。
【００１２】
別の実施形態においては、協働する錠止要素が本体と錠止部分とに設けてあり、蓋が本体から外されて容器が開いたとき、作動手段が錠止要素の一方を他方の錠止要素に対して移動させる配置とする。
【００１３】
好ましくは、この別の実施形態においては、本体および錠止部分に設けた協働する錠止要素の配置は、蓋が本体上へ押し戻されて容器を閉じるとき、作動手段が錠止要素の一方を他方の錠止要素に対して移動させるようにする。
【００１４】
錠止部分は、好ましくは、環状の錠止リングである。
【００１５】
好ましくは、アクチュエータ手段は、蓋の内側に配置した細長い部材を含み、錠止リングは傾斜路を含み、この傾斜路は、細長い部材が傾斜路と接触し、傾斜路に沿って徐々に摺動するとき、錠止リングの回転を生じさせ、本体および／または蓋上のインジケータと錠止部分上のインジケータが不整合となるように傾斜している。
【００１６】
好ましくは、細長い部材および傾斜路の配置は、蓋を本体から外して容器を開けたとき、細長い部材が傾斜路の第１表面と接触し、錠止リングの回転が生じ、本体および／または蓋上のインジケータと錠止部分上のインジケータが不整合となるようにする。
【００１７】
好ましくは、細長い部材および傾斜路の配置は、蓋を本体上へ戻して容器を閉じ、インジケータを整合させたとき、細長い部材が傾斜路の第２の表面と接触し、錠止リングの回転が生じ、本体および／または蓋上のインジケータと錠止部分上のインジケータが不整合となるようにする。
【００１８】
好ましくは、傾斜路は錠止リングの半径方向内面から突出する。
【００１９】
あるいは、傾斜路は錠止リングの壁面に形成した溝であり、この溝の中心軸線がリングの軸線から或る角度となっている。
【００２０】
好ましくは、細長い部材は可撓性片持ばりである。
【００２１】
好ましくは、細長い部材は蓋の内面から突出するフック形状の片持ばりである。
【００２２】
錠止部分は、好ましくは、本体と蓋の間に位置する。
【００２３】
蓋上に設けた協働する錠止要素は、好ましくは、突起である。
【００２４】
本発明の第１の実施形態において、錠止部分に設けた協働する錠止要素は、錠止部分の内面に配置した周囲フランジであり、そして、突起が細長い部材上に形成してあり、フランジには、蓋の開閉時に突起が通過できるくぼみ部分が形成してある。
【００２５】
傾斜路は、周囲フランジの下方で軸線方向に、そして、フランジのくぼみ部分とほぼ直列に並んで配置してあると好ましく、傾斜路の最上部分と周囲フランジとの間にギャップがあるような配置とする。
【００２６】
本発明の第２の実施形態においては、錠止部分に設けた協働する錠止要素が、錠止部分の内面に取り付けた周囲トラックであり、そして、突起に末端ヘッド部分が形成してあり、突起が蓋の内面から突出しており、トラックには、蓋の開閉中に突起のヘッド部が通過できるアクセスホールが形成してある。
【００２７】
傾斜路は、好ましくは、円周トラック上方で軸線方向に配置してある。
【００２８】
好ましくは、傾斜路およびフランジの配置は、錠止部分の一方向への回転の際、まず、突起がギャップを通過し、くぼみとほぼ整合してから細長い部材が傾斜路と接触するようにする。
【００２９】
好ましくは、本体は出口を有し、この出口は、蓋上に設けたシーリング要素によってシールすることができる。
【００３０】
本発明の別の実施形態においては、突起はさかとげのある末端部を形成した部材を含む。
【００３１】
本発明の第２の態様によれば、本発明の第１の態様による容器に蓋を錠止する方法が提供される。この方法は、蓋が解錠状態、錠止状態の間で動かされるときに錠止部分を解錠位置から錠止位置まで移動する段階を含む。
【００３２】
好ましくは、蓋を開いた状態に移動させたとき、アクチュエータ手段が錠止部分を錠止位置に移動させるような配置とする。
【００３３】
好ましくは、蓋を閉じた状態に移動させたとき、アクチュエータ手段が錠止部分を錠止位置に移動させるような配置とする。
【００３４】
好ましくは、この方法は、蓋の開き動作および閉じ動作の最中に錠止部分を自動的に移動させる段階を含む。
【００３５】
この方法により、蓋の開き動作および／または閉じ動作に続いて蓋を確実に容器に錠止できる。
【００３６】
本発明の第３の態様によれば、本発明の第１の態様による容器のための蓋が提供される。
【００３７】
本発明の第４の態様によれば、本発明の第１の態様による容器のための錠止部分が提供される。
【００３８】
本発明の第５の態様によれば、本発明の第１の態様による容器のための中空本体が提供
される。
【００３９】
本発明の第６の態様によれば、本発明の第１の態様による容器のためのアクチュエータ手段が提供される。
【００４０】
本発明の第７の態様によれば、本発明の先の態様による容器であり、第２の格納領域を含む容器が提供される。
【００４１】
好ましくは、第２の格納領域は、本体の上方領域に配置してあり、容器の蓋によってシールする。
【００４２】
以下、添付図面を参照しながら本発明の好ましい実施態様を単なる例示として詳細に説明する。
図１は、容器の第１の実施形態を閉じた状態かつ錠止位置で示す斜視図である。
図２は、図１の容器を、蓋を開く前の閉じた解錠位置で示す斜視図である。
図３は、蓋を開いた図１の容器の斜視図である。
図４は、図３の容器の頂部斜視図である。
図５は、図２の容器のＸ方向における側面図である。
図６、７、８、９は、それぞれ、図５の容器の左側面図、右側面図、頂面図、底面図である。
図１０は、図４のリングのやや拡大した詳細図である。
図１１は、図１０のリング内の錠止機構の細部を示す別の斜視図である。
図１２は、容器の第２の実施形態を閉じた錠止位置で示す斜視図である。
図１３、１４は、蓋を開いた図１２の容器の斜視図である。
図１５は、本発明による容器の第３の実施形態を閉じた解錠位置で示す斜視図である。
図１６は、蓋を開いた図１５の容器の斜視図である。
図１７は、図１５の容器の錠止部分を示す斜視図である。
図１８は、図１６の容器の錠止部分の部分詳細図Ｘである。
図１９は、図１６の容器の蓋およびアクチュエータの部分詳細図Ｙである。
図２０は、本発明による容器の第４の実施形態を閉じた解錠位置で示す斜視図である。
図２１は、蓋を開いた図２０の容器の斜視図である。
図２２は、図２１の容器の蓋およびアクチュエータの部分詳細図である。
図２３は、図２１の容器の錠止部分の部分詳細図である。
【００４３】
図１〜１１に本発明による容器の第１の実施形態が示してある。この容器は、固体または液体の内容物を保持する中空本体１と、容器を閉じる蓋２とを含む。錠止リング３の形をした錠止部分が本体１と蓋２の間に設けてある。錠止リング３は本体１上で回転可能である。インジケータ矢印Ａが本体１に設けてあり、インジケータ矢印Ｂが蓋２に設けてある。錠止リング３にもインジケータ矢印Ｃが設けてあり、錠止リング３を回転させることによってインジケータ矢印Ｃがインジケータ矢印Ａ、Ｂと一致したときのみ（図２を参照）、蓋２の突出縁４を持ち上げるかまたは反転させることによって蓋２を開けることができる。明らかに、インジケータ矢印は本体１か蓋２のいずれかに設けるだけでもよいが、錠止リング３上のインジケータ矢印Ｃをインジケータ矢印Ａまたはインジケータ矢印Ｂのいずれかに一致させればよいということは使用者にとって便利である。
【００４４】
容器は、また、蓋２の内面から離れる方向に延びる細長い部材６の形をしたアクチュエータ手段を含む。この部材６はフック状の末端部６ａを含む。末端部６ａと蓋２との間にはくさび状の突起１０が配置してある。
【００４５】
錠止リング３は、本体１上の環状肩部（図示せず）に形成した円形リブとリング３の下
方内縁に隣接して形成した対応する円形くぼみ１２とをスナップ嵌合させることによって本体１に設置する。リング３および本体１の配置は、リング３を本体１に取り付けるが本体１上で自由に回転できるようにする。
【００４６】
蓋２を本体１上へ錠止するために、錠止リング３はその内面に周囲フランジ８を有する。このフランジ８にはくぼみ部分９が形成してあり、矢印Ａ、Ｂ、Ｃが整合した場合に蓋２を開閉するとき、フック６および突起１０がこのくぼみ部分９を通過する。矢印が整合していないとき、突起１０はフランジ８の下に入り込み、蓋２を本体１に対して錠止する。
【００４７】
錠止リング３は、リング３の軸線方向から傾斜し、リング３の内面から突出する傾斜路７を含む。傾斜路７の最上部とフランジ８との間にはギャップ１３があり、矢印Ａ、Ｂ、Ｃが整合したときこのギャップ１３を突起１０が通過できる。傾斜路７は、上方斜面１４と下方斜面１６（図では隠れている）とを含む。矢印Ａ、Ｂ、Ｃが整合し、蓋２を開けたとき、突起１０が開口部９を通過し、そして、フック６の末端部６ａが傾斜路７の下方斜面１６と接触し、錠止リング３を回転させる、すなわち錠止位置に戻すことになるような配置とする。また、矢印Ａ、Ｂ、Ｃが整合し、蓋２を閉じたとき、フック６の末端部６ａが傾斜路７の上方斜面１４と接触し、錠止リング３を回転させる、すなわち錠止位置に戻すことになるような配置とする。この点で、ひとたびフック６が傾斜路７の下に移動してしまったならば錠止リング３が本体１上で自由に回転できるということに注目されたい。
【００４８】
図示した態様においては、錠止部分は好ましくは錠止リング３の形をしているが、非環状形状、たとえば、円弧方向または直線方向にアクチュエータ手段によって移動可能である摺動可能な要素であってもよい。
【００４９】
あるいは、傾斜路７は、その底でフック６の先端を捕らえる溝を含んでもよい。そうすれば、フック６は、傾斜路７の頂部に移動したときのみ解放されることになる。この配置の場合、蓋２を開けたときにインジケータ矢印Ｃは整合しないので、使用者はフランジ８上へフック６を押すだけで蓋２を閉じることができる。
【００５０】
末端部６ａは、容器の開および／または閉の後にそれぞれのインジケータ矢印が確実に整合していない状態にするアクチュエータとして作用する。末端部６ａは、開放動作中、そして必要に応じて閉鎖動作中にインジケータ矢印を整合状態から外れるように自動的に移動させる。したがって、開放動作中、そして必要に応じて閉鎖動作中に小児安全機能が自動的に設定される。
【００５１】
ここで、フック６が可撓性であるから、フック６をくぼみ部分９と整合させることなく蓋２を押して閉じることができることに留意されたい。突起１０は、フランジ８上の傾斜に対応して傾斜しており、その結果、突起１０がフランジ８の下に滑り込んで蓋２を本体１に対して錠止するまで単に突起をフランジ８上へ押すだけでよい。
【００５２】
くぼみ部分９の幅は、矢印Ａ、Ｂ、Ｃが整合し、フック６が傾斜路７の底に着座したとき、突起１０が錠止リング３から外れて自由に移動するような幅となっている。
【００５３】
この実施形態における本体１は、蓋２上にある環状リム１２によってシールすることができる環状開口部１１を有する。このシール配置は、内容物の安定性に影響を与える可能性のある水蒸気の侵入を防ぐ助けとなると共に、内容物が液体の場合にその漏洩を防ぐようにも作用する。フランジ８および環状開口部１１は二次格納容積部１７を形成している。この容積部１７および本体１の内部容積部は環状壁（図示せず）によって互いに隔離されている。この容積部１７は、物質、たとえば、容器本体１から取り出された医薬品タブレットの一部または全部を格納するのに使用できる。格納容積部１７は、また、本体から取り出された物質を点検するのに使用できる領域ともなる。
【００５４】
図１２、１３、１４には、本発明による容器の第２の実施形態が示してある。この容器は、固体または液体の内容物を保持する管状中空本体２０と、容器を閉じる蓋２１とを含む。錠止リング２３が本体２０と蓋２１の間に設けてあり、これは本体２０、蓋２１間で回転できる。
【００５５】
インジケータ矢印Ｄが本体２０に設けてあり、インジケータ矢印Ｅが錠止リング２３に設けてある。第１の実施形態と同様に、錠止リングを回転させることによってこれらのインジケータ矢印を整合させたときにのみ、蓋２１の突出縁２４を持ち上げるかまたは反転させることによって蓋２１を開けることができる。
【００５６】
図１３、１４において、蓋２１は開けられており、使用者は内容物を取り出すことができる。蓋２１が部位２５のところで本体２０にヒンジ止めしてあるので、ヒンジ部位２５が許す限り蓋２１を完全に後ろにそらせることができ、内容物を空にすることになんの障害もない。
【００５７】
蓋２１には、その周囲まわりに延びている環状カラー２５が形成してある。蓋２１の内面からは、末端部に截頭円錐形の端２８を形成した細長い部材２６が延びている。くさび状の錠止突起３８が環状カラー２５の外面に形成してある。
【００５８】
錠止リング２３は、外側の環状カラー３１と、内側環状溝を形成した半径方向内側の環状トラック３２と、上方環状スロット３４とを含む。内側環状溝はスロット３４の直ぐ下にある。スロット３４の幅は環状溝の幅より小さい。スロット３４上の１点で、この幅が大きくなって円形のアクセスホール３６を形成している。外側環状カラー３１には、リング２３の軸線方向から傾斜する溝３７が形成してある。
【００５９】
錠止リング２３は、本体２０に形成した円形リブ（図示せず）とリング２３の下方内縁に隣接して形成した対応する円形くぼみ（図示せず）とをスナップ嵌合させることによって本体２０上に設置される。その結果、リング２３は本体２０に取り付けられているが、本体上で自由に回転できることになる。
【００６０】
矢印Ｄ、Ｅが整合した場合、端２８がホール３６に隣接し、突起３８が溝３７の最下端にあるので、蓋２１を開くことができるような配置とする。蓋２１を開けたとき、端２８がホール３６を通過し、そして、突起３８が溝３７の上方斜面と接触し、錠止リング２３を回転させる、すなわち、錠止位置に戻す。また、矢印Ｄ、Ｅが整合した場合、蓋２１が閉じ、端２８がホール３６を通過するので、突起３８が溝３７の下方斜面と接触し、錠止リング２３を回転させる、すなわち、錠止位置に戻すような配置とする。この点で、ひとたび突起３８が溝３７の下に移動してしまったならば錠止リング２３が本体２０上で自由に回転できることに注目されたい。
【００６１】
この実施形態における本体２０は、上方壁４１に形成した環状開口部４０を有する。この開口部４０は蓋２に設けた環状リム４２によってシールすることができる。このシール配置は、内容物の安定性に影響を与える可能性のある水蒸気の侵入を防ぐ助けとなると共に、内容物が液体の場合にその漏洩を防ぐようにも作用する。上方壁４１および環状トラック３２は、二次格納容積部４３を形成する。この容積部４３は、物質、たとえば、容器本体２０から取り出された医薬品タブレットの一部または全部を格納するのに使用できる。格納容積部４３は、また、本体から取り出された物質を点検するのに使用できる領域ともなる。
【００６２】
突起３８は、容器の開および／または閉に続いてそれぞれの矢印インジケータが確実に整合状態から外れるようにするアクチュエータとして作用する。突起３８は、開放動作中、そして必要に応じて閉鎖動作中にインジケータ矢印を整合状態から外れるように自動的に移動させる。したがって、開放動作中、そして必要に応じて閉鎖動作中に小児安全機能が自動的に設定される。
【００６３】
図１５〜１９には本発明による容器の第３の実施形態が示してある。第３の実施形態は、先に説明した第１の実施形態と共通する多くの特徴を含み、これらの共通の特徴を示すのに同じ参照番号を使用した。
【００６４】
第３の実施形態による容器５０は、固体または液体の内容物を保持する中空本体５１と、容器を閉じる蓋５２とを含む。錠止リング５３の形をした錠止部分が本体５１と蓋５２の間に設けてある。錠止リング５３は本体５１上で回転可能である。インジケータ矢印Ｂが蓋５２に設けてある。錠止リング５３にもインジケータ矢印Ｃが設けてあり、錠止リング５３を回転させることによって、インジケータ矢印Ｃをインジケータ矢印Ｂ（図１５参照）と整合させたときにのみ、蓋５２の突出縁５４を持ち上げるかまたは反転させることによって蓋５２を開けることができる。
【００６５】
容器５１は、また、蓋２の内面から離れる方向に延びる細長い部材６の形をしたアクチュエータ手段を含む。この部材６はフック状の末端部６ａを含む。末端部６ａと蓋５２との間にはくさび状の突起１０が配置してある。
【００６６】
錠止リング５３は、本体５１上の環状肩部（図示せず）に形成した円形リブとリング５３の下方内縁に隣接して形成した対応する円形くぼみ（図示せず）とをスナップ嵌合させることによって本体５１上に設置する。リング５３および本体５１の配置は、リング５３が本体５１に取り付けられるが、本体５１上で自由に回転できるようにする。
【００６７】
錠止リング５３およびアクチュエータ６の動作、機能は、本発明の第１態様の図１〜１１の対応する特徴についての説明とほぼ同じである。しかしながら、ここで、錠止リング５３がほぼ容器５１の中心軸線まわりに配置してあることに注目されたい。この実施形態においては、容器５１は、その一側面に開口部５５が形成してある。この開口部５５は、容器５１の内容積へのアクセスを可能にする。
【００６８】
中実パネル６３が容器５１の上方容積部の一部をシールしている。このパネル６３および環状カラー６１が第２の格納容積部６４を形成している。第３の格納容積部６５が、パネル６３の一部と本体５１の半径方向最外方壁の一部と作動壁６７とによって形成してある。第２、第３の格納容積部６４、６５は、固体または液体を格納するのに用いることができる。第２、第３の格納容積部６４、６５は、ピルまたはカプセルのような薬剤製品を格納するのに使用することができ、特に分与するピルまたはカプセルを格納するのに役立つ。格納容積部６４、６５は蓋５２でシールする。格納容積部６４、６５は、また、本体から取り出された物質を点検するのに使用できる領域ともなる。
【００６９】
図２０〜２３には本発明による容器の第４の実施形態が示してある。第４の実施形態は、先に説明した第１の実施形態と共通する多くの特徴を含み、これらの共通の特徴を示すのに同じ参照番号を使用した。
【００７０】
第３の実施形態の容器７０は、その蓋７２が中空本体１の最上端容積部を横切って延びている点で第１の実施形態と異なっている。蓋７２の水平断面は、実質的に本体１の水平断面と同じである。
【００７１】
中実パネル７４が容器１の上方容積部の一部をシールしている。このパネル７４および上方へ延びているカラー７６が第２の格納容積部６８を形成している。第２の格納容積部６８は、ピルまたはカプセルのような薬剤製品を格納するのに使用することができ、特に分与するピルまたはカプセルを格納するのに役立つ。格納容積部６８は蓋７２によってシールされる。格納容積部６８は、また、本体から取り出された物質を点検するのに使用できる領域ともなる。
【図面の簡単な説明】
【００７２】
【図１】容器の第１の実施形態を閉じた状態かつ錠止位置で示す斜視図である。
【図２】図１の容器を、蓋を開く前の閉じた解錠位置で示す斜視図である。
【図３】蓋を開いた図１の容器の斜視図である。
【図４】図３の容器の頂部斜視図である。
【図５】図２の容器のＸ方向における側面図である。
【図６】図５の容器の左側面図である。
【図７】図５の容器の右側面図である。
【図８】図５の容器の頂面図ある。
【図９】図５の容器の底面図である。
【図１０】図４のリングのやや拡大した詳細図である。
【図１１】図１０のリング内の錠止機構の細部を示す別の斜視図である。
【図１２】容器の第２の実施形態を閉じた錠止位置で示す斜視図である。
【図１３】蓋を開いた図１２の容器の斜視図である。
【図１４】蓋を開いた図１２の容器の斜視図である。
【図１５】本発明による容器の第３の実施形態を閉じた解錠位置で示す斜視図である。
【図１６】蓋を開いた図１５の容器の斜視図である。
【図１７】図１５の容器の錠止部分を示す斜視図である。
【図１８】図１６の容器の錠止部分の部分詳細図Ｘである。
【図１９】図１６の容器の蓋およびアクチュエータの部分詳細図Ｙである。
【図２０】本発明による容器の第４の実施形態を閉じた解錠位置で示す斜視図である。
【図２１】蓋を開いた図２０の容器の斜視図である。
【図２２】図２１の容器の蓋およびアクチュエータの部分詳細図である。
【図２３】図２１の容器の錠止部分の部分詳細図である。
【図１】
2006505461.tif 000003
【図２】
2006505461.tif 000004
【図３】
2006505461.tif 000005
【図４】
2006505461.tif 000006
【図５】
2006505461.tif 000007
【図６】
2006505461.tif 000008
【図７】
2006505461.tif 000009
【図８】
2006505461.tif 000010
【図９】
2006505461.tif 000011
【図１０】
2006505461.tif 000012
【図１１】
2006505461.tif 000013
【図１２】
2006505461.tif 000014
【図１３】
2006505461.tif 000015
【図１４】
2006505461.tif 000016
【図１５】
2006505461.tif 000017
【図１６】
2006505461.tif 000018
【図１７】
2006505461.tif 000019
【図１８】
2006505461.tif 000020
【図１９】
2006505461.tif 000021
【図２０】
2006505461.tif 000022
【図２１】
2006505461.tif 000023
【図２２】
2006505461.tif 000024
【図２３】
2006505461.tif 000025
【手続補正書】
【提出日】平成17年2月11日(2005.2.11)
【手続補正１】
【補正対象書類名】特許請求の範囲
【補正対象項目名】全文
【補正方法】変更
【補正の内容】
【特許請求の範囲】
【請求項１】
開口部を形成した中空本体と、開口部を覆う閉じた状態と開口部を覆わない開いた状態との間で移動可能な蓋と、容器上に蓋を固着する錠止部分であって、錠止部分が容器上に蓋を固着する第１の位置と、蓋が閉じた状態と開いた状態との間で移動できる第２の位置との間で移動可能である錠止部分と、第１、第２の位置間で錠止部分を移動させるアクチュエータとを含む容器のための錠止配置を提供する方法であって、蓋が開いた状態から閉じた状態まで移動させられたときにアクチュエータが錠止部分を第２の位置から第１の位置まで移動させることを特徴とする方法。
【請求項２】
蓋が閉じた状態から開いた状態まで移動するときにアクチュエータが錠止部分を第２の位置から第１の位置まで移動させる、請求項１に記載の方法。
【請求項３】
錠止部分が第２の位置にあり、蓋が開いた状態から閉じた状態まで移動する場合、アクチュエータが錠止部分を第２の位置から第１の位置まで移動させ、この第１の位置において、錠止部分によって蓋が容器上に固着される、請求項２に記載の方法。
【請求項４】
蓋および錠止部分が、それぞれ、協働する錠止要素を含み、蓋が閉じた状態と開いた状態との間で移動するときに錠止要素の一方がアクチュエータによって他方の錠止要素に対して移動させられる、請求項１〜３のいずれか１項に記載の方法。
【請求項５】
蓋が閉じた状態から開いた状態まで移動させられるとき、錠止要素の一方がアクチュエータによって他方の錠止要素に対して移動させられ、そして、錠止部分が第１の位置に移動させられ、この第１の位置において、錠止部分によって蓋が容器上に固着される、請求項４に記載の方法。
【請求項６】
協働する錠止要素が本体と錠止部分とに設けてあり、蓋が開いた状態から閉じた状態まで移動するとき、錠止要素の一方がアクチュエータによって他方の錠止要素に対して移動させられ、錠止部分が第１の位置に移動させられ、そして、蓋が閉じた状態から開いた状態まで移動するとき、錠止要素の一方がアクチュエータによって他方の錠止要素に対して
移動させられ、錠止部分が第１の位置に移動させられる、請求項４に記載の方法。
【請求項７】
開口部を形成した中空本体と、開口部を覆う閉じた状態と開口部を覆わない開いた状態との間で移動可能な蓋と、容器上に蓋を固着する錠止部分であって、錠止部分が容器上に蓋を固着する第１の位置と、蓋が閉じた状態と開いた状態との間で移動できる第２の位置との間で移動可能である錠止部分と、第１、第２の位置間で錠止部分を移動させるアクチュエータとを含む容器であって、錠止部分が、開いた状態から閉じた状態への蓋の移動中にアクチュエータによって回転させることができる錠止リングであることを特徴とする容器。
【請求項８】
アクチュエータが蓋の内側に配置した細長い部材を含み、錠止リングが傾斜路を含み、傾斜路が、使用時に、細長い部材が傾斜路と接触し、細長い部材が傾斜路の表面に沿って徐々に摺動するときに、錠止リングの回転が生じ、本体および／または蓋上のインジケータと錠止部分上のインジケータとを不整合とするように傾斜路が傾斜している請求項７に記載の容器。
【請求項９】
細長い部材および傾斜路の配置が、使用時に、蓋が閉じた状態から開いた状態まで移動するとき、細長い部材が傾斜路の第１の表面と接触し、錠止リングの回転が生じ、本体および／または蓋および錠止部分上にあるインジケータが不整合となるようにしてある、請求項８に記載の容器。
【請求項１０】
細長い部材および傾斜路の配置が、蓋が開いた状態から閉じた状態に移動するとき、そして、インジケータが整合したとき、細長い部材が傾斜路の第２の表面と接触し、錠止リングの回転が生じ、本体および／または蓋および錠止部分上にあるインジケータが不整合となるようにしてある、請求項８または９に記載の容器。
【請求項１１】
傾斜路が錠止リングの半径方向内側面から突出している、請求項８〜１０のいずれか１項に記載の容器。
【請求項１２】
傾斜路に、錠止リングの壁に形成した溝があり、溝の中心軸線がリングの軸線から或る角度のところにある、請求項８〜１１のいずれか１項に記載の容器。
【請求項１３】
細長い部材が可撓性片持ばりである、請求項８〜１２のいずれか１項に記載の容器。
【請求項１４】
細長い部材が蓋の内面から延びるフック状の片持ばりである、請求項８〜１３のいずれか１項に記載の容器。
【請求項１５】
錠止部分が本体と蓋の間に位置している、請求項７〜１４のいずれか１項に記載の容器。
【請求項１６】
蓋に設けた協働錠止要素が突起である、請求項１５に記載の容器。
【請求項１７】
蓋および錠止部分が、それぞれ、協働する錠止要素を含み、蓋が閉じた状態と開いた状態との間で移動するとき、錠止要素の一方がアクチュエータによって他方の錠止要素に対して移動させられ、錠止部分に設けた協働する錠止要素が錠止部分の内面に配置した周囲フランジであり、突起が細長い部材上に形成してあり、フランジには、蓋の開閉時に突起が通過できるくぼみ部分が形成してある、請求項８に記載の容器。
【請求項１８】
傾斜路が周囲フランジ下方に軸線方向に配置してあり、フランジのくぼみ部分とほぼ列をなして並んでおり、傾斜路の最上方部分と周囲フランジとの間にギャップがあるような
配置とした、請求項１７に記載の容器。
【請求項１９】
錠止部分に設けた協働錠止要素が錠止部分の内面に取り付けた周囲トラックであり、突起に末端ヘッド部分が形成してあり、突起が蓋の内面から延びており、トラックにはアクセスホールが形成してあり、蓋の開閉時に突起のヘッド部分がこのアクセスホールを通過できる、請求項１７に記載の容器。
【請求項２０】
傾斜路が周囲トラック上方で軸線方向に配置してある、請求項１８に記載の容器。
【請求項２１】
傾斜路およびフランジの配置が、錠止部分の一方向への回転に応じて、まず、突起がギャップを通過し、くぼみとほぼ整合してから細長い部材が傾斜路と接触するようにしてある、請求項２０に記載の容器。
【請求項２２】
本体が出口を有し、この出口が蓋に設けたシーリング要素によってシールすることができる、請求項７〜２１のいずれか１項に記載の容器。
【請求項２３】
突起がさかとげのある末端部を形成した部材を含む、請求項１９〜２２のいずれか１項に記載の容器。
【請求項２４】
請求項７〜２３のいずれか１項に記載の容器のための蓋。
【請求項２５】
請求項７〜２３のいずれか１項に記載の容器のための錠止部分。
【請求項２６】
請求項７〜２３のいずれか１項に記載の容器のための中空本体。
【請求項２７】
請求項７〜２３のいずれか１項に記載の容器のための蓋。
【請求項２８】
請求項７〜２３のいずれか１項に記載の容器のためのアクチュエータ。
【請求項２９】
第２の格納容積部を含む、請求項７〜２３のいずれか１項に記載の容器。
【請求項３０】
第３の格納容積部を含む、請求項２９に記載の容器。
【請求項３１】
さらに別の格納容積部のうちの少なくとも１つが本体の上方容積部に配置してある、請求項２９または３０に記載の容器。
【請求項３２】
さらに別の格納容積部のうちの少なくとも１つが蓋によってシールされる、請求項３１に記載の容器。
【請求項３３】
実質的に添付図に揚げられ本明細書で説明した蓋。
【国際調査報告】
2006505461.tif 000026
2006505461.tif 000027
2006505461.tif 000028
2006505461.tif 000029
2006505461.tif 000030
2006505461.tif 000031